(57)【特許請求の範囲】
【請求項１】
複数のスリングロープ構成部材を連結してなるスリングロープであって、
前記複数のスリングロープ構成部材のそれぞれは、複数本のストランドをより合わせて形成されたロープを主体として構成されており、
前記複数のスリングロープ構成部材のそれぞれは、ひも状部と、該ひも状部の一端に設けられた第１小輪部と、該ひも状部の他端に設けられた第２小輪部とを有し、
前記第１小輪部及び前記第２小輪部のそれぞれは、前記ロープの両端部それぞれをアイスプライス加工することにより形成され、
前記第１小輪部及び第２小輪部のそれぞれは、それらの直径が７〜１３ｃｍの範囲内にあり、
前記ひも状部のそれぞれは、解かれたストランドが前記ロープに編みこまれている部分のそれぞれの長さが７〜９ｃｍの範囲内にあり、解かれたストランドが前記ロープに編みこまれていない部分のそれぞれの長さが１〜３ｃｍの範囲内にあり、
前記複数のスリングロープ構成部材のうち隣り合う２つのスリングロープ構成部材は、それらの一方のスリングロープ構成部材の前記第１小輪部と他方のスリングロープ構成部材の前記第２小輪部とが鎖状に連結されているスリングロープ。
【請求項２】
両端にそれぞれ設けられた２つの小輪部を有する分岐ロープを更に備え、
前記分岐ロープは、前記２つの小輪部のうちいずれか一方の小輪部が、前記隣り合う２つのスリングロープ構成部材を連結する連結部における前記第１小輪部及び前記第２小輪部の少なくとも一方に連結されている請求項１記載のスリングロープ。
【請求項３】
前記複数のスリングロープ構成部材は、該複数のスリングロープ構成部材のそれぞれの長さが略等しく、且つ該複数のスリングロープ構成部材のそれぞれの前記第１小輪部及び前記第２小輪部の大きさが略等しい請求項１又は２記載のスリングロープ。
【請求項４】
前記複数のスリングロープ構成部材における前記第１小輪部及び前記第２小輪部は、それらのうち２つの大きさが互いに異なっている請求項１又は２記載のスリングロープ。
【発明の詳細な説明】
【技術分野】
【０００１】
本発明は、スリングロープに関する。
【背景技術】
【０００２】
従来、工事現場等における作業では、両端部にそれぞれ小輪部を有するスリングロープが広く使用されている。スリングロープは、ものの吊り上げや固定等に用いられるものである。スリングロープは、例えば電気工事では、電柱等の高所に取り付けられる変圧器のような重量物を吊り上げる際に用いられる。変圧器を吊り上げる際には、両端にフックを備えた吊り下げ型ウインチの一端に備えられたフックを電柱の腕金等に取り付けると共に、該ウインチの他端に備えられたフックを変圧器に取り付け、その後ウインチを巻き上げることで変圧器を電柱の所定の高さまで吊り上げる。ここで、ウインチの一端に備えられたフックと腕金とは直接連結できず、またウインチの他端に備えられたフックと変圧器とも直接連結できない。そこで、一端のフックと腕金との連結及び他端のフックと変圧器との連結にスリングロープは用いられる。
ウインチの一端に備えられたフックと腕金との連結の際には、図１０に示すように、先ず、スリングロープ１００を腕金２００に巻きつけ、巻きつけたスリングロープの一端の小輪部１１０の中に他端の小輪部１２０を通してスリングロープ１００を腕金２００に固定する。次いで、固定されたスリングロープ１００の他端の小輪部１２０にウインチ（図示せず）の一端に備えられたフック（図示せず）を連結する。
ウインチの他端に備えられたフックと変圧器との連結の際には、先ず、スリングロープの両端に設けられた小輪部のそれぞれが、変圧器の所定箇所に掛けられる。次いで、変圧器に掛けられたスリングロープの略中央部に、ウインチ等の吊り上げ手段に備えられたフック等が掛けられ、電柱の所定の高さまで吊り上げられる。
このように、スリングロープは、様々な用途に用いられている。
【０００３】
ところで、スリングロープを腕金等の対象物に巻きつけて固定する際には、スリングロープがゆるまないように固定するために、巻きつける対象物の太さ（外周）とスリングロープの長さ（両端の小輪部間の長さ）とを略等しくすることが重要である。しかし、工事作業等の現場においては、巻きつける対象物の太さは様々である。そのため、巻きつける対象物の太さが細い場合には、図１０に示すように、スリングロープ１００を対象物に何周も巻きつけて使用しなくてはならず、また、巻きつける対象物の太さが太い場合には、対象物の太さに合わせた長いスリングロープを準備しておく必要があった。
また、スリングロープを、ものの吊り上げに使用する際には、吊りしろを適正な長さに調整することが必要である。例えば、上記の変圧器を吊り上げる場合において、スリングロープの長さが短すぎれば変圧器に掛け渡すことができず、また長すぎれば吊りしろが長くなり作業がしにくくなってしまう。
そのため、従来は、吊り上げる対象物の大きさ、巻きつける対象物の太さに合わせて様々な長さのスリングロープを多数持ち運ぶ必要があった。工事作業等においては、必要な機材の種類が多く、その中で使用しない可能性のある多数のスリングロープを常に持ち運ぶことは、大変な負担となっていた。
【０００４】
そこで、種々の大きさや太さの対象物に対応しうるスリングロープとして、繊維からなる多数の小輪を連鎖状に連結して、スリングロープをチェーン上に形成してなるものが提案されている（特許文献１参照）。特許文献１記載のスリングロープによれば、スリングロープが多数の小輪から構成されているため、巻きつけたり、吊り上げたりする対象物の大きさに合わせて、使用する小輪を適宜選択することにより、１本のスリングロープで種々の大きさや太さの対象物に対応することが可能となっている。
【特許文献１】特開２００４−１０６９７９号公報
【発明の開示】
【発明が解決しようとする課題】
【０００５】
しかし、特許文献１記載のスリングロープは、多数の小輪を連結して構成されているため、連結箇所が非常に多くなり、その結果強度が弱くなるという問題があった。また、スリングロープが小輪のみから構成されているため対象物の形状に沿いにくく、対象物に巻きつけにくいという問題があった。更には、スリングロープがからまりやすく、取り扱いにくいという問題もあった。
【０００６】
したがって、本発明の目的は、種々の大きさや太さの対象物に対応しうると共に、強度に優れ、更には取り扱いが容易なスリングロープを提供することにある。
【課題を解決するための手段】
【０００７】
本発明者らは、ひも状部と、その両端にそれぞれ小輪部とを有するスリングロープ構成部材を複数連結することにより、上記課題を解決できることを見出し、本発明を完成するに至った。より具体的には以下のものを提供する。
【０００８】
（１）  複数のスリングロープ構成部材を連結してなるスリングロープであって、
前記複数のスリングロープ構成部材のそれぞれは、複数本のストランドをより合わせて形成されたロープを主体として構成されており、
前記複数のスリングロープ構成部材のそれぞれは、ひも状部と、該ひも状部の一端に設けられた第１小輪部と、該ひも状部の他端に設けられた第２小輪部とを有し、
前記第１小輪部及び前記第２小輪部のそれぞれは、前記ロープの両端部それぞれをアイスプライス加工することにより形成され、
前記第１小輪部及び第２小輪部のそれぞれは、それらの直径が７〜１３ｃｍの範囲内にあり、
前記ひも状部のそれぞれは、解かれたストランドが前記ロープに編みこまれている部分のそれぞれの長さが７〜９ｃｍの範囲内にあり、解かれたストランドが前記ロープに編みこまれていない部分のそれぞれの長さが１〜３ｃｍの範囲内にあり、
前記複数のスリングロープ構成部材のうち隣り合う２つのスリングロープ構成部材は、それらの一方のスリングロープ構成部材の前記第１小輪部と他方のスリングロープ構成部材の前記第２小輪部とが鎖状に連結されているスリングロープ。
【０００９】
（２）  両端にそれぞれ設けられた２つの小輪部を有する分岐ロープを更に備え、前記分岐ロープは、前記２つの小輪部のうちいずれか一方の小輪部が、前記隣り合う２つのスリングロープ構成部材を連結する連結部における前記第１小輪部及び前記第２小輪部の少なくとも一方に連結されている（１）記載のスリングロープ。
【００１０】
（３）  前記複数のスリングロープ構成部材は、該複数のスリングロープ構成部材のそれぞれの長さが略等しく、且つ該複数のスリングロープ構成部材のそれぞれの前記第１小輪部及び前記第２小輪部の大きさが略等しい（１）又は（２）記載のスリングロープ。
【００１１】
（４）  前記複数のスリングロープ構成部材における前記第１小輪部及び前記第２小輪部は、それらのうち２つの大きさが互いに異なっている（１）又（２）のいずれかに記載のスリングロープ。
【発明の効果】
【００１４】
本発明のスリングロープによれば、種々の大きさや太さの対象物に対応しうると共に、強度に優れ、更には取り扱いが容易である。
【発明を実施するための最良の形態】
【００１５】
以下、本発明のスリングロープをその好ましい実施形態である第１実施形態に基づいて図面を参照しながら説明する。
【００１６】
スリングロープ１は、図１に示すように、複数のスリングロープ構成部材２が連結されて構成されている。
第１実施形態においては、スリングロープ１は、４本のスリングロープ構成部材２ａ，２ｂ，２ｃ，２ｄが連結されて構成されている。
【００１７】
複数のスリングロープ構成部材２のそれぞれは、図２に示すように、ひも状部３と、ひも状部３の一端に設けられた第１小輪部４と、ひも状部３の他端に設けられた第２小輪部５とを有している。そして、複数のスリングロープ構成部材２のうち隣り合う２つのスリングロープ構成部材２，２は、図１に示すように、それらの一方のスリングロープ構成部材２の第１小輪部４と他方のスリングロープ構成部材２の第２小輪部５とが鎖状に連結されている。
【００１８】
第１実施形態においては、図１に示すように、第１小輪部４と第２小輪部５とが連結されている連結部９が３つ形成されている。そして、両端の小輪部、即ちスリングロープ構成部材２ａの第１小輪部４及びスリングロープ構成部材２ｄの第２小輪部５には他の小輪部は連結されていない。
【００１９】
複数のスリングロープ構成部材２のそれぞれは、それらの長さが互いに略等しく、且つそれらの第１小輪部４及び第２小輪部５の大きさが互いに略等しくなっている。即ち、複数のスリングロープ構成部材２は、互いに略同形状である。また、第１小輪部４の大きさと第２小輪部５の大きさも略同じ大きさである。
【００２０】
複数のスリングロープ構成部材２における第１小輪部４及び第２小輪部５は、それらのうち２つの大きさが互いに異なっていてもよい。スリングロープ１が、異なる大きさの第１小輪部４及び第２小輪部５を有することで、スリングロープ１は、対象物に巻きつけたり、対象物を吊り上げたりする際における長さの調節が容易となる。
【００２１】
それぞれのスリングロープ構成部材２における第１小輪部４及び第２小輪部５は、第１小輪部４又は第２小輪部５の輪の中に他の第１小輪部４又は第２小輪部５を通しやすくする観点から、それらの直径が好ましくは７〜１３ｃｍ、更に好ましくは８〜１２ｃｍの範囲内である。また、それぞれのスリングロープ構成部材２におけるひも状部３は、それらの長さが、好ましくは１５〜２１ｃｍ、更に好ましくは１６〜１９ｃｍの範囲内である。ひも状部の長さが１５ｃｍ未満の場合には、スリングロープ１が巻きつける対象物の形状に沿いにくくなるおそれがある。また、ひも状部の長さが２１ｃｍよりも長い場合には、吊り上げる対象物の大きさ、あるいは巻きつける対象物の太さに応じて適切な長さ調節ができなくなるおそれがある。
【００２２】
第１実施形態のスリングロープ１においては、複数のスリングロープ構成部材２のそれぞれは、図３に示すように、複数本のストランド２２をより合わせて形成されたロープ２１を主体として構成されている。また、それぞれのスリングロープ構成部材２の第１小輪部４及び第２小輪部５は、ロープ２１の両端部それぞれをアイスプライス加工することにより形成されている。
第１実施形態においては、スリングロープ構成部材２は、図３に示すように、３本のストランド２２をより合わせて形成されたロープから形成されている。
【００２３】
アイスプライス加工とは、ロープの先端を折り返して小輪部を形成する方法のひとつであり、折り返したロープの先端をストランドの単位に解いて、そのストランドをロープ本体のストランドの間に通して、ロープ本体部分に編みこんでいく加工方法である。図１及び図２に示すように、アイスプライス加工により形成した第１小輪部４及び第２小輪部５を形成した第１実施形態のスリングロープ１は、第１小輪部４及び第２小輪部５が強度に優れ、ほどけにくいため、重量物の吊り上げ等にも好適に使用することができる。
【００２４】
第１小輪部４及び第２小輪部５をアイスプライス加工により形成した場合、ひも状部３において、解かれたストランドが上記ロープ本体に編みこまれている部分のそれぞれ長さ３ａ，３ａ（図３参照）は、好ましくは７〜９ｃｍであり、また解かれたストランドが上記ロープ本体に編みこまれていない部分の長さ３ｂ（図３参照）は、好ましくは１〜３ｃｍである。
【００２５】
スリングロープ構成部材２としては、コットンロープ、マニラロープ、サイザルロープ等の天然繊維系ロープ、レーヨン、キュプラ等の再生繊維ロープ、ナイロン、ビニロン、ポリエステル等の合成繊維ロープ、アセテート、プロミックス等の半合成繊維ロープ、金属繊維からなるワイヤーロープ等の種々のロープ２１を用いることができる。
その中でも、強度と柔軟性のバランスの観点、及び耐水性、耐候性の観点から、ナイロンやビニロン等の合成繊維ロープを用いることが好ましい。
スリングロープ構成部材２に用いられるロープ２１の太さは、スリングロープ１の強度及び柔軟性を保つ観点から、好ましくは直径１０〜１６ｍｍ、更に好ましくは直径１２〜１４ｍｍである。
【００２６】
上記構成を有するスリングロープ１は、その長さが好ましくは５８〜２３５ｃｍ、更に好ましくは９６〜１７２ｃｍである。また、スリングロープ１を構成するスリングロープ構成部材２の本数は、吊り上げる対象物の大きさ、あるいは巻きつける対象物の太さに応じて適切な第１小輪部４又は第２小輪部を選択できるようにする観点から、好ましくは２〜５本、更に好ましくは３〜４本である。
【００２７】
以上のような構成を有する第１実施形態のスリングロープ１によれば、ひも状部３と、その両端にそれぞれ第１小輪部４及び第２小輪部５とを有するスリングロープ構成部材２が複数連結されて構成されているため、対象物の大きさや太さに合わせて通す小輪部を適宜選択でき、１本のスリングロープ１で種々の大きさや太さの対象物に対応できる。
【００２８】
例えば、スリングロープ１を巻きつけて使用する場合、図５に示すように巻きつける対象物の太さが太い場合には、スリングロープ１の一端に位置する第１小輪部４の小輪の中にスリングロープ１の他端に位置する第２小輪部５の小輪を通して固定することができる。一方、図６に示すように、巻きつける対象物の太さが細い場合には、対象物の太さに対応するスリングロープ１のいずれかの連結部９の小輪にスリングロープ１の一端の第１小輪部４又は第２小輪部５の小輪を通すことで固定することができる。
更に、スリングロープ１に複数の小輪が形成されていることで、例えばスリングロープ１に工具袋等を吊り下げる際には、図６に示すように、所望の第１小輪部４又は第２小輪部５に吊り下げることが可能となる。このように、巻きつける対象物を固定している第１小輪部４又は第２小輪部５以外の小輪に工具袋等を吊り下げることができ、作業性が向上する。
【００２９】
あるいは、スリングロープ１を、図７に示すように変圧器の吊り上げに使用する場合には、スリングロープ１の所望の第１小輪部４又は第２小輪部５を変圧器の所定箇所に掛けることにより、吊りしろの長さを任意に調節することが可能である。
【００３０】
したがって、工事作業等において持ち運ぶスリングロープの本数を減らすことができ、労力を大きく軽減することができる。
【００３１】
また、図７に示すように、連結部９における第１小輪部４及び第２小輪部５の両者を、吊り上げに使用するウインチ等のフックにかけることにより、スリングロープ構成部材２のそれぞれにかかる荷重が分散され、その結果スリングロープ１は同一素材で製造された従来のスリングロープに比して約２倍の強度を有するという効果も奏する。
【００３２】
また、図８に示すように、変圧器の３点以上に第１小輪部４又は第２小輪部５を掛けることも可能となり、該変圧器をつり上げた際の安定性が向上する。
更に、変圧器の吊り上げの際には、該変圧器の揺れを防ぐこと、及び障害物との接触を避けることを目的として、変圧器の周囲にトラ網（図示せず）と呼ばれるロープを巻きつけることがしばしばある。本実施形態のスリングロープ１によれば、図８に示すように、変圧器の吊り上げに用いられないスリングロープ構成部材２を該変圧器の周囲の所定部分に掛け渡すことにより、トラ網と同様の効果を奏することができる。
【００３３】
また、複数のスリングロープ構成部材２が連結されて構成されていることで、特に重量のあるものを吊り上げる際等には、スリングロープ１を２重、３重等に重ね合わせて使用することができ、スリングロープ１の強度を容易に増加させることもできる。
【００３４】
また、スリングロープ構成部材２がひも状部３を有するため、スリングロープ構成部材２の連結部９の数が過剰とならず、スリングロープ１の強度に優れる。また、ひも状部３が対象物の形状に沿いやすいため、スリングロープ１を巻き付けた対象物にしっかり固定できる。更には、ひも状部３を有することで、小輪のみを連鎖状に連結して構成したスリングロープに比してからまりにくく、取り扱いが容易である。
【００３５】
また、複数のスリングロープ構成部材２のそれぞれの長さが略等しく、また、複数のスリングロープ構成部材２のそれぞれにおける第１小輪部４、及び第２小輪部５の大きさも略等しくなされているため、上述したスリングロープ１の重ね合わせを容易に行うことができる。
また、それぞれのスリングロープ構成部材２の第１小輪部及び第２小輪部は、アイスプライス加工により形成されているため、第１小輪部及び第２小輪部がほどけにくく、強度に優れる。
【００３６】
次に、本発明のスリングロープ１の第２実施形態について、図９を参照して説明する。第２実施形態については、第１実施形態と異なる点について説明し、同様の点については同一の符号を付して説明を省略する。特に説明しない点は、上述したスリングロープ１についての説明が適宜適用される。
【００３７】
第２実施形態のスリングロープ１は、図９に示すように、第１実施形態のスリングロープ１に比して、両端にそれぞれ設けられた２つの分岐ロープ小輪部８を有する分岐ロープ６を更に備えている点で異なる。
分岐ロープ６は、２つの分岐ロープ小輪部８，８のうちいずれか一方の分岐ロープ小輪部８が、隣り合う２つのスリングロープ構成部材２，２を連結する連結部９における第１小輪部４及び第２小輪部５の少なくとも一方に連結されている。
【００３８】
分岐ロープ６は、分岐ロープひも状部７とその両端にそれぞれ設けられた分岐ロープ小輪部８，８とを有する。第２実施形態においては、分岐ロープ６は、図９に示すように、スリングロープ構成部材２ｂとスリングロープ構成部材２ｃとの連結部９ｂにおけるスリングロープ構成部材２ｃの第１小輪部４に連結されている。即ち、第２実施形態においては、スリングロープ１は三又構造となっている。
【００３９】
分岐ロープ６は、第２実施形態においては、連結部９における第１小輪部４に連結されていたが、第２小輪部５に連結されていてもよく、また第１小輪部４及び第２小輪部５の両者に連結されていてもよい。
【００４０】
分岐ロープ６としては、スリングロープ構成部材２と同様のものを用いることができる。分岐ロープ小輪部８についても、スリングロープ構成部材２の第１小輪部４及び第２小輪部５と同様にアイスプライス加工によって形成することができる。
【００４１】
このような構成を有する第２実施形態のスリングロープによれば、スリングロープ１には、小輪部を有する端部が３箇所形成される。したがって、スリングロープ１を吊り上げ作業に用いる場合、吊り上げる対象物の３箇所にスリングロープ１を掛けることができ、吊り上げ作業時の安定性が向上する。
【００４２】
本発明のスリングロープ１は、上述した第１実施形態及び第２実施形態に制限されることなく、本発明の趣旨を逸脱しない限り適宜変更が可能である。
【００４３】
スリングロープ１は、第１実施形態においては、互いに略同形の複数のスリングロープ構成部材２から構成されていたが、異なる形状の複数のスリングロープ構成部材２から構成されていてもよい。例えば、スリングロープ１は、ひも状部３の長さが互いに異なる複数のスリングロープ構成部材２から構成してもよい。
【００４４】
また、スリングロープ１は、連結部９を構成する第１小輪部４及び第２小輪部５の大きさを、スリングロープ１の両端に位置する第１小輪部４及び第２小輪部５の大きさよりも大きく形成することができる。
両端部及び連結部９を構成する第１小輪部４及び第２小輪部５の大きさをこのように形成することにより、連結部９を構成する第１小輪部４、又は第２小輪部５の輪の中に、スリングロープ１の両端部を構成する第１小輪部４又は第２小輪部５を通しやすくなる。
【００４５】
第１小輪部４、第２小輪部５及び分岐ロープ小輪部８は、アイスプライス加工により形成されていなくてもよく、例えば、ロープの端部を折り返し、折り返した端部をロープ本体にもやい結び等で結びつけることにより形成してもよい。
また、スリングロープ構成部材２は、帯状のロープから構成されていてもよい。
【００４６】
スリングロープ１は、第２実施形態においては、１本の分岐ロープ６が連結部９に連結されて形成されていたが、複数の分岐ロープ６を連結したものを用いてスリングロープ１の連結部９に連結してもよい。また、複数の分岐ロープ６をそれぞれ異なる連結部９に連結してもよい。
【００４７】
本発明のスリングロープ１は、工事作業用に限らず、引越し荷物の固定等様々な用途に用いることができる。
【図面の簡単な説明】
【００４８】
【図１】図１は、本発明のスリングロープの第１実施形態を示す図である。
【図２】図２は、本発明のスリングロープを構成するスリングロープ構成部材を示す図である。
【図３】図３は、図２に示すスリングロープ構成部材を形成するロープの構成を示す部分拡大図である。
【図４】図４は、第１実施形態のスリングロープの使用状態の一例（第１実施態様）を示す図である。
【図５】図５は、第１実施形態のスリングロープの他の使用状態（第２実施態様）を示す図である。
【図６】図６は、第１実施形態のスリングロープの更に他の使用状態（第３実施態様）を示す図である。
【図７】図７は、第１実施形態のスリングロープの更に他の使用状態（第４実施態様）を示す図である。
【図８】図８は、第１実施形態のスリングロープの更に他の使用状態（第５実施態様）を示す図である。
【図９】図９は、本発明のスリングロープの第２実施形態を示す図である。
【図１０】図１０は、従来のスリングロープの１実施態様を示した図である。
【符号の説明】
【００４９】
１  スリングロープ
２  スリングロープ構成部材
３  ひも状部
４  第１小輪部
５  第２小輪部
６  分岐ロープ
７  分岐ロープひも状部
８  分岐ロープ小輪部
９  連結部
【図１】
0005460951.tif 000002
【図２】
0005460951.tif 000003
【図３】
0005460951.tif 000004
【図４】
0005460951.tif 000005
【図５】
0005460951.tif 000006
【図６】
0005460951.tif 000007
【図７】
0005460951.tif 000008
【図８】
0005460951.tif 000009
【図９】
0005460951.tif 000010
【図１０】
0005460951.tif 000011